(57)【要約】【課題】  ＡＣアダプタまたは電池で駆動可能な記録装置においてインク残量、電池残量等の装置内部情報を、装置の電源を入れることなく表示出来る記録装置を提供する。【解決手段】  電池または交流電源からのいずれかの電力供給源から電力供給を受けて動作可能であり、電力供給の入力部に設けられた半導体スイッチと、電源のオン／オフの操作のための第１のスイッチと、表示部のオン／オフを制御する第２のスイッチを有する記録装置であって、前記第１のスイッチの操作により電源オン時には、前記半導体スイッチをオンした後、前記電力供給源からの電力供給を開始して所定の動作を行う制御手段を有し、前記制御手段は、前記電力供給源からの電力供給がなされていない場合、前記第２のスイッチの操作により、前記半導体スイッチをオンして装置への電力供給を開始し、前記所定の動作は行わず、前記表示手段に、前記装置の内部情報を表示させることを特徴とする。【選択図】        図１
2006315366.tif 000002
【特許請求の範囲】
【請求項１】
電池または交流電源からのいずれかの電力供給源から電力供給を受けて動作可能であり、電力供給の入力部に設けられた半導体スイッチと、電源のオン／オフの操作のための第１のスイッチと、表示部のオン／オフを制御する第２のスイッチを有する記録装置であって、
前記第１のスイッチの操作により電源オン時には、前記半導体スイッチをオンした後、前記電力供給源からの電力供給を開始して所定の動作を行う制御手段を有し、
前記制御手段は、前記電力供給源からの電力供給がなされていない場合、前記第２のスイッチの操作により、前記半導体スイッチをオンして装置への電力供給を開始し、前記所定の動作は行わず、前記表示手段に、前記装置の内部情報を表示させることを特徴とする記録装置。
【請求項２】
前記内部情報は、前記記録装置に備えられている記録材の残量であることを特徴とする請求項１に記載の記録装置。
【請求項３】
前記記録材は、インクであることを特徴とする請求項２に記載の記録装置。
【請求項４】
前記内部情報は、前記電池の残量であることを特徴とする請求項１に記載の記録装置。
【発明の詳細な説明】
【技術分野】
【０００１】
本発明は、記録装置、特に携帯可能な小型記録装置のインク残量、バッテリ残量等記録装置の内部情報表示方法に関する。
【背景技術】
【０００２】
近年において、携帯型のパーソナルコンピュータ（ノートパソコン）、ＰＤＡ、デジタルカメラ、携帯電話機、ビデオカメラ等の電子機器が市場に多く投入されている。これらの電子機器は、携帯性を考慮し、家庭用電源に接続されていない状態、つまりコードレスで使用可能に構成されている。従って、電源コードを用いて家庭用の交流電源に接続されることなく、電池等を電子機器に内蔵したり、電池を内蔵した電池パックのようなユニットを電子機器の外部に接続して使用できるように構成されており、家庭内及びオフィスのどこでも、また外出先、室外等場所を選ばず使用可能である。近年では、繰返し充電可能な電池、いわゆる二次電池が多用されている。二次電池としては、ニッケルカドミウム電池、ニッケル水素電池、リチウムイオン電池、などが知られている。
【０００３】
近年、上記電子機器のデータ、写真等の画像出力用として携帯型の記録装置が一般的になってきた。この種の携帯型記録装置は、上記電子機器と同様に、交流電源と電池の両方で駆動可能になっており、家庭内及びオフィスのどこでも、また外出先、室外等場所を選ばずプリントアウト可能である。
【０００４】
また、持ち運びを考慮していない据え置き型（デスクトップ型）の記録装置は、装置のパワーオフ時でも装置側に電力を供給し、ＭＰＵを動作させておき、常に装置上のパワースイッチのオンオフを検知しており、パワーオフ時の消費電力を低下させるために、装置の制御を司るＭＰＵ及び制御回路のクロック周波数をパワーオン時に比べて低下させたり、又は、停止したりすることが一般的に行われているのに対して、携帯型の記録装置は、最近の省エネに関する関心（特に、装置のパワーオフ時の無効電力）及び規制の強化、更にはパワーオフ時の電池の消耗を抑えるために、特許文献１で示される記録装置のように、交流電源からＤＣ電源に変換するＡＣアダプタ、または電池の外部電源ユニットから記録装置内の電源入力部にＦＥＴ等の半導体スイッチを設け、装置のパワーオフ時には装置外部からの電源を遮断する構成である。この装置は、装置のパワースイッチの押下している間半導体スイッチをオンして装置の制御を司るＭＰＵを含むロジック回路に電源を供給し、ＭＰＵが動作したらＭＰＵの制御で出力ポートにより、半導体スイッチをＯＮ固定にし、装置に電源を供給し続ける。装置のパワーオフ時には、パワースイッチが押されたら、ＭＰＵ制御により出力ポートを制御して半導体スイッチをオフにして電源の入力を遮断する。
【０００５】
また、特許文献２で示す記録装置は、装置のパワーオフ時には、装置内で外部電源からＭＰＵを含む制御ロジック電圧に電圧変換を行うＤＣ−ＤＣコンバータの発振を止めて、装置への電源供給をシャットアウトする構成である。この装置は、装置のパワースイッチの押下している間ＤＣ−ＤＣコンバータを発振させて装置の制御を司るＭＰＵを含むロジック回路に電源を供給し、ＭＰＵが動作したらＭＰＵの制御で出力ポートにより、ＤＣ−ＤＣコンバータを発振状態に固定にし、装置に電源を供給し続ける。装置のパワーオフ時には、パワースイッチが押されたら、ＭＰＵ制御により出力ポートを制御してＤＣ−ＤＣコンバータの発振を停止して電源の入力を遮断する。
【０００６】
上記２方式とも装置のパワーオフ時の消費電力を０．１Ｗ以下にすることが可能である。
【０００７】
また、携帯可能な記録装置は、記録方式がインクジェット方式のときは、据え置き型（デスクトップ型）の記録装置に比べて装置サイズの制約により、インク容量を大きくすることができないため、インク残量を装置上のＬＥＤ等の表示手段により表示する記録装置がある。また、携帯可能な記録装置では、電池で駆動可能な構成をとっている場合が多く、その電池残量を上記表示手段により表示するのが一般的である。
【０００８】
ユーザが外出先でプリントするために携帯可能な記録装置を携行しようとした場合、装置に搭載されているインク残量は十分で、予備のインクタンクを携行する必要がないか、また電池残量は十分で外出前に電池を充電する必要がないか、電池がなくなる可能性があるので、ＡＣアダプタも携行する必要があるか等を知りたいというニーズが強い。
【特許文献１】特開２００３−８０８００号公報
【特許文献２】特開２００３−７２０５７号公報
【発明の開示】
【発明が解決しようとする課題】
【０００９】
しかしながら、装置のパワーオフ時に入力電源を遮断する上記従来技術を採用した記録装置では、パワースイッチを押して装置に電源を供給し、装置の初期設定を行わないとインク残量、バッテリ残量を表示できないという問題があった。ユーザは、外出前の忙しい時間に、記録装置の電源を入れて装置の初期設定を行った後にインク残量、バッテリ残量を確認し、その後記録装置の電源をオフして装置の電源オフシーケンスを終了するのに数十秒から数分の時間を要し、非常に使い勝手が悪い。また、この電源オンシーケンス、電源オフシーケンスは、ロジック電流の消費の他に、モータも駆動する必要があるため、省エネに反する、電池を消費し、電池寿命に悪影響するという問題があった。
【００１０】
本発明は、上述の問題点に着目してなされたものであって、ＡＣアダプタまたは電池で駆動可能な記録装置においてインク残量、電池残量等の装置内部情報を、装置の電源を入れることなく表示出来る記録装置を提供することを目的とする。
【課題を解決するための手段】
【００１１】
上記の問題点を解決するために、電池または交流電源からのいずれかの電力供給源から電力供給を受けて動作可能であり、電力供給の入力部に設けられた半導体スイッチと、電源のオン／オフの操作のための第１のスイッチと、表示部のオン／オフを制御する第２のスイッチを有する記録装置であって、前記第１のスイッチの操作により電源オン時には、前記半導体スイッチをオンした後、前記電力供給源からの電力供給を開始して所定の動作を行う制御手段を有し、前記制御手段は、前記電力供給源からの電力供給がなされていない場合、前記第２のスイッチの操作により、前記半導体スイッチをオンして装置への電力供給を開始し、前記所定の動作は行わず、前記表示手段に、前記装置の内部情報を表示させる。
【発明の効果】
【００１２】
記録装置の起動時に、装置に無駄な動作をさせることなく、装置の内部情報をユーザに知らせることができ、省エネルギーとユーザの利便性を両立した記録装置を提供可能できるという効果がある。
【発明を実施するための最良の形態】
【００１３】
以下本発明を実施するための最良の形態を、実施例により詳しく説明する。
【実施例】
【００１４】
図２は本発明の代表的な実施形態である携帯型インクジェット記録装置１（以下記録装置と記述する）の外観斜視図である。また、この記録装置は、カラープリント、白黒モノカラープリントの両方が可能な構成を示している。
【００１５】
図２に示すように、キャリッジ１０１上には多くのノズルを有したマルチノズルの記録ヘッド１０２とカートリッジガイド１０３とが搭載されており、記録ヘッド１０２はブラック（Ｋ）のインク、或いは、シアン（Ｃ）、マゼンタ（Ｍ）、イエロ（Ｙ）のインクを夫々吐出する。記録装置の記録動作時、記録ヘッド１０２にはブラックインクを収容したインクカートリッジ１１０と他の３色のインクを収容したインクカートリッジ１１１が装着されている。そして、それぞれのインクカートリッジからマゼンタ（Ｍ）、イエロ（Ｙ）、ブラック（Ｋ）のインクが供給されるとともに、多数の導線を配列したフレキシブルケーブル（不図示）を介して記録ヘッド各ノズルの駆動信号が供給される。
【００１６】
一方、キャリッジ１０１は２本のガイドレール１０４〜１０５上に載置されており、キャリッジ１０１に連結した無端ベルト１０９をキャリアモータ（後述）で駆動することによりキャリッジ１０１をＸ方向（以下、このＸ方向を主走査方向という）に往復走行させる。また、記録用紙１０６は補助ローラ１０７によって展張されて記録用紙の搬送がスムーズになされるように助けられている。また、搬送ローラ１０８は搬送モータ（後述）によって駆動され記録用紙１０６をＹ方向（以下、このＹ方向を副走査方向という）に給送する。
【００１７】
図１は記録装置の制御回路の構成を示すブロック図である。図１において、ＭＰＵ（マイクロプロセッサユニット）１０は、ＲＯＭ１１に格納されたプログラムに従って記録装置全体を制御する。ホスト機器１２との間には、記録データを受信する送受信手段１３を有し、受信した記録データは、図示しないＤＭＡ（ダイレクトメモリアクセス）制御回路により、ＭＰＵ１０の介在無しに、ＲＡＭ１４の受信バッファに格納される。受信した記録データは、圧縮を解凍した後に、ラスタ方向（キャリッジの主操作方向）のデータ並びを記録ヘッド１０２のノズル列方向（紙送り方向）のデータ並びに変換して、ＲＡＭ１４内のプリントバッファに格納する。これによりＭＰＵ１０は、ホスト機器１２から転送されてくる指令データ及び記録データに基づいて、モータ制御回路１５、モータ駆動回路１６を介してキャリアモータ１７や搬送モータ１８などの回転を制御するとともに、ＲＡＭ１４内のプリントバッファからヘッド制御部１９及びヘッド駆動部２０を介して記録ヘッド（インクジェットヘッド）１０２に記録データを出力して、その記録動作を制御している。
【００１８】
２１は、公知のインク残量検知手段であり、発光ダイオードとフォトトランジスタの組合せで、インク有無による光の透過率の変化を検出する光学式、実際にインクを吐出したインク滴の数を数えるドットカウント式等が一般的に用いられている。ＭＰＵ１０は、光学式の場合はＡＤコンバータ、ドットカウント式の場合は、図示しないＥＥＰＲＯＭ等不揮発性メモリから読み取り、出力ポート２２を介してＬＥＤ等の表示手段２３にインク残量を表示する。
【００１９】
３０は家庭用コンセント等交流電源からＤＣ電源に変換して、記録装置全体の制御部１に電力を供給するＡＣアダプタ、３１は、記録装置全体の制御部１に電力を供給する二次電池である。この記録装置に二次電池３１のみが接続されている時には、１ａ→充電制御回路１０→１ｂを経由して電力を供給する。
【００２０】
また、この記録装置全体の制御部１にＡＣアダプタ３０が接続されている時には、二次電池３１の接続いかんに関わらず、ＡＣアダプタ３０から電力が供給される。つまり、交流電源１ｃがＡＣアダプタ３０によりＤＣ電圧に変換されて経路１ｄを経て入力される。本実施例では、二次電池３１またはＡＣアダプタ３０から供給された電圧１ｄは、ＤＣ−ＤＣコンバータ３３により所定の電圧に降圧され、記録装置全体の制御部１のロジック動作用電圧Ｖｃｃとして供給される。
【００２１】
また、二次電池３１またはＡＣアダプタ３０から供給された電圧１ｄは、同様にＤＣ−ＤＣコンバータ３４に入力され、所定の電圧に昇圧され、記録装置のモータや記録ヘッドの駆動用電圧ＶＨとして供給される。
【００２２】
二次電池３１が接続されており、かつ満充電状態でないときで、かつ記録装置の消費電力に余裕がある場合は、ＡＣアダプタ３０→充電制御回路３２経由で充電が行なわれる。
【００２３】
なお、この二次電池は例えば、ニッケルカドミウム電池、ニッケル水素電池、リチウムイオン電池の繰返し充電可能な電池である。
【００２４】
次に、記録装置１の構成と電源オンオフのシーケンスについて図１に示した主要な信号についてのタイミングチャートである図３を参照して詳細に説明する。
【００２５】
図１に示すように、記録装置１には記録装置の動作のオンオフを指示するパワースイッチ３５が設けられ、パワースイッチ３５から出力される出力信号１ｆは入力ポート３６を介してＭＰＵ２０に読み込まれ、出力ポート２２の出力信号１ｇによりトランジスタ３８のオン／オフが制御される。
【００２６】
まず、二次電池３１が記録装置に接続されている状態、または、二次電池３１が装置に接続されていない状態で、ＡＣアダプタ３０が交流電源のコンセントに接続された状態で記録装置１に接続するか、または、記録装置１に接続状態で、交流電源のコンセントに接続すると、経路１ｄに入力電圧が立ち上がる。なお、ここではパワースイッチ３５は押下げられてなく、パワー投入はされていない。
【００２７】
この状態は、経路１ｄまでＡＣアダプタ３０から、または二次電池３１からの電力は供給されているが、ＦＥＴ３６がオフしていることにより、記録装置内部の回路への電力供給は遮断されている状態である。
【００２８】
この状態で、ユーザが記録装置１を動作させるべくパワースイッチ３５を押すと、パワースイッチ３５の片側の端子がグランドに接続されているので、信号ライン１ｈの電位はダイオードＤ１を介してグランドレベル近傍になり、抵抗Ｒ１とＲ２で分圧されたゲート電位１ｉにバイアスがかかりＦＥＴ３６はオンする。その結果、ＦＥＴ３６のドレイン電圧１ｅが立ち上がり、ＤＣ−ＤＣコンバータ３３を介してロジック電圧Ｖｃｃが、記録装置内部のＭＰＵ１０を含むロジック回路に供給される。
【００２９】
ロジック電圧Ｖｃｃが一定レベル以上になると、リセット回路３７は規定時間（Ｔ）の間リセット信号１ｊを“Ｌ”レベルとし、ＭＰＵ１０をリセットする。このリセット動作を完了してＭＰＵ１０のリセットが解除された後、ＭＰＵ１０は、ＲＯＭ１１に記憶された制御プログラムを実行して記録装置１を制御する。また、ＲＯＭ１１に記憶された制御プログラムに従う初期制御では、出力ポート２２の出力信号１ｇが“Ｈ”レベルに制御され、トランジスタ３８がオンとなる。この動作により、信号ライン１ｈの電位はパワースイッチ３５の押下を終了した後も“Ｌ”レベルに固定されることになり、ＦＥＴ３６はオンし続け、ＡＣアダプタ３０から、または二次電池３１から電源が供給される状態が維持され、記録装置１は動作状態となる。
【００３０】
次に、記録装置１が動作状態、つまりＡＣアダプタ２または二次電池３１からＦＥＴ３６経由で記録装置１の内部回路に電力が供給されている状態から、パワースイッチ３５の押下により、記録装置１側への電源供給が遮断され、記録装置１がパワーオフ状態になるまでの回路の動作について、引き続き図３を参照して説明する。
【００３１】
まず、ＡＣアダプタ３０または、二次電池３１から記録装置１へ電力を供給している状態において信号ライン１ｈの電位は、上述したように出力ポート２２を介してトランジスタ３８がオンにしていることにより、グランドレベル近傍に固定されている。
【００３２】
この状態でパワースイッチ３５を押下し、続いて放すと、電源スイッチ出力信号１ｆには、図３に示すようなパルスＰが出力され、これが入力ポート３６に入力される。
【００３３】
一方、ＭＰＵ１０はパワースイッチ３５が押されたことを入力ポート３６を介して検知すると電源オフシーケンスを開始する。このシーケンスにおいて、ＭＰＵ１０は、まず出力ポート２２の出力信号１ｇを“Ｌ”レベルに変更する。出力信号１ｇが“Ｌ”レベルとなることでトランジスタ３８がオフの状態となり、信号ライン１ｈの電位、及びＦＥＴ３６のゲート電圧１ｉは、ソース電位１ｄと同じになり、その結果、ＦＥＴ３６はオフして、ＡＣアダプタ３０からの電力供給が遮断されて、ＤＣ−ＤＣコンバータ３３の出力である記録装置１のロジック電源Ｖｃｃも低下する。そして、ロジック電源Ｖｃｃが一定レベル以下になると、リセット回路３７の出力、つまり信号１ｊが“Ｌ”レベルとなる。その結果、出力ポート２２の出力信号が不定になることによって生じるトランジスタ３８が誤ってオンを防止することができる。
【００３４】
本実施例では、１ｈの信号ラインにパワースイッチ３５の他にインク残量確認スイッチ３９がダイオードＤ２を介してＯＲ接続されており、パワースイッチ３５を押して記録装置を動作状態にしなくても、インク残量確認スイッチ３９を押すことにより、上述の通りパワースイッチ３５を押したときと同様に、ＦＥＴ３６をＯＮにして装置に電源を供給することが可能である。また、インク残量確認スイッチ３９を放した後も同様に、ＭＰＵ１０が出力ポート２２の該当ビットをＯＮすることにより、トランジスタ３８をＯＮさせＦＥＴ３６をＯＮし続けることが可能である。更に、規定時間残量表示を行った後に、ＭＵＰ１０が出力ポートの該当ビットをＯＦＦすることにより、トランジスタ３８をＯＦＦさせ、ＦＥＴ３６をＯＦＦさせることにより、記録装置への電源供給を遮断することが可能である。回路動作および各信号波形は図３と同じなので説明は省略する。
【００３５】
最後に、図４に示すフローチャートを参照して、記録装置１の電源オン／オフ時及びインク残量確認スイッチ３９のオン／オフ時にＭＰＵ１０が実行する制御手順について説明する。
【００３６】
ここでは、上述したように、ユーザが記録装置１を動作させるべくパワースイッチ３５または、残量確認スイッチ３９を押し、その結果、ロジック電圧Ｖｃｃが、記録装置内部のＭＰＵ１０を含むロジック回路に供給され、記録装置１に電源が供給され、ＭＰＵ１０を含むロジック回路に電圧が印加された後の規定時間（Ｔ）後にリセットが解除されることを想定している。これにより、ＭＰＵ１０はＲＯＭ１５に記憶されたプログラムを実行し、制御を開始する。
【００３７】
このリセット解除後、まず、ステップＳ１０１では出力ポート２２の該当ビット（ｂｉｔ１とする）に“１”を書き込み１ｇ信号に“Ｈ”レベルの信号を出力し、トランジスタ３８をオンさせることにより、ＦＥＴ３６をオン状態で固定し、ＡＣアダプタ３０から電力を供給し続けるようにする。また、同時に出力ポート２２の該当ビット（ｂｉｔ２とする）に“０”を書き込み，インク残量表示手段のＬＥＤを消灯させる。
【００３８】
次に、ステップＳ１０２では入力ポート１８への入力信号１ｆを読み込み、記録装置１のパワースイッチ３５が押下されているかどうかをチェックする。
【００３９】
ステップＳ１０２において、パワースイッチ１７が押されていると判断したときは、処理はステップＳ１０３に進み、記録装置１の初期設定を行う。初期設定では、キャリッジモータ及び図示しない回復系モータを起動し、キャリッジを回復系のキャップをはずし、キャリッジのホームポジションを設定し、ホスト装置から記録データが送られて来るのを待つ。また、インク残量検出手段から読み取った情報をもとに、インク残量が規定値以下だったら、出力ポートのｂｉｔ２に“１”を書き込みＬＥＤ等の表示手段にインク残量エラーを表示する。記録装置が記録データを受信したら、モータ制御回路１５およびモータ駆動回路１６を介してキャリアモータ１７や搬送モータ１８などの回転を制御するとともに、ＲＡＭ１４内のプリントバッファからヘッド制御回路１９及びヘッド駆動回路２０を介して記録ヘッド（インクジェットヘッド）１０２に記録データを出力して、その記録動作を制御する。
【００４０】
記録装置１の動作中、ステップＳ１０４では常にパワースイッチ３５の状態をポーリングまたは割り込みでチェックする。ステップＳ１０４で記録装置１の動作中にパワースイッチ３５が押されたと判断したときには、処理はステップＳ１０５に進み、現在実行中の動作を終了し、その後、処理はステップＳ１０７に進んで、出力ポート２２のｂｉｔ１に“０”を書き込み、トランジスタ３８、ＦＥＴ３６をＯＦＦすることにより、ＡＣアダプタ３０又は二次電池３１からの電力供給を遮断する。
【００４１】
ステップＳ１０２で、パワースイッチ３５が押されていないと判断したときは、ステップＳ１０７に移行し、インク残量確認スイッチ３９が押されているか判断する。
【００４２】
ステップＳ１０７で、インク残量確認スイッチ３９が押されていたら、ステップＳ１０８でインク残量検出手段２１からインク残量を読み取る。ＭＰＵ１０は、インク残量検出手段２１から読み取った情報をもとに、インク残量が規定値以下だったら、ステップＳ１１０で出力ポート２２のｂｉｔ２に“１”を書き込み表示手段２３であるＬＥＤを点灯し、インク残量エラーを表示する。インク残量が規定値以上の場合には、ステップＳ１１１で出力ポート２２のｂｉｔ２に“０”を書き込み表示手段２３であるＬＥＤを消灯したままとする。次にステップＳ１１２でインク残量確認スイッチをポーリングし、インク残量確認スイッチが放されたら、前述のステップＳ１０６に移行し、出力ポート２２のｂｉｔ１に“０”を書き込み、トランジスタ３８、ＦＥＴ３６をＯＦＦすることにより、ＡＣアダプタ３０または二次電池３１からの電力供給を遮断する。なお、ステップＳ１１２でインク残量確認スイッチをポーリングしているが、所定時間経過した後、ステップＳ１０６へ進んでも構わない。
【００４３】
ステップＳ１０７で、インク残量確認スイッチ３９も押されていないと判断したときは、ユーザは記録装置１の起動およびインク残量の表示を望んでいないと判断し、前述のステップＳ１０６に移行し、出力ポート２２のｂｉｔ１に“０”を書き込み、トランジスタ３８、ＦＥＴ３６をＯＦＦすることにより、ＡＣアダプタ３０または２次電池３１からの電力供給を遮断する。
【００４４】
従って以上説明した実施形態に従えば、動作用電源として、電池と、交流電源からＤＣ電源に変換するＡＣ−ＤＣ回路から電力供給を受けて動作可能な記録装置において、前記電力供給を行うか否かを制御するスイッチを備える記録装置において、装置の電源オフ状態であっても装置の内部情報を表示するための専用スイッチを設け、この専用スイッチを操作することで、記録装置に備える表示手段にインク残量を表示することが可能となる。
【００４５】
なお、本実施例では、記録装置に表示する内部情報としてインク残量を例示したが、公知の電池が接続されていれば、電池残量検知手段により検知された電池残量を表示してもよい。このときは、２１のインク残量検知手段を電池残量検知手段に置き換えるだけで、他の回路構成、制御方法は実施例と同一なので、説明は省略する。
【００４６】
また、表示手段に限定することなく、ブザーやメッセージを出力させる構成でも構わない。また、電池としてリチウムイオン等の充電可能な二次電池を例示したが、アルカリ電池等の一次電池を用いてもよい。
【００４７】
また、本実施例では電源入力部にシリーズに半導体スイッチを挿入して、外部からの電源のオン／オフを行ったが、ＤＣ−ＤＣコンバータの制御端子を直接オン／オフして、ＤＣ−ＤＣコンバータの発振を止めることにより、装置の制御部への電力供給をオン／オフしてもよい。
【００４８】
また記録装置側に設けられ記録装置を動作させるスイッチとして、スイッチが押下された状態の時にオンとなる構成のタクトスイッチを例として説明したが、本発明はこれによって限定されるものではない。例えば、スライドスイッチ等他の方式のスイッチでも本発明に適用することができる。また、外部電源からの電力を遮断する半導体スイッチとしてＦＥＴを例示したが、他の種類のトランジスタを使用できることは言うまでもない。
【００４９】
更に、表示手段として、ＬＥＤを例示したが、液晶等他の表示手段を用いてもよい。
【図面の簡単な説明】
【００５０】
【図１】本発明に関わる記録装置のブロック図
【図２】本発明に関わる記録装置の主要な構成を示す外観図
【図３】本発明に関わる記録装置の、パワースイッチオン・オフ時における、制御回路の主要な信号の遷移を示すタイミングチャート
【図４】本発明に関わる記録装置の制御を司るＭＰＵの制御手順を示すフローチャート図
【符号の説明】
【００５１】
１  記録装置
１０  ＭＰＵ
１１  ＲＯＭ
２１  インク残量検出手段
２２  出力ポート
２３  表示手段
３０  外部電力供給ユニット
３１  二次電池
３１  ＤＣ−ＤＣコンバータ
３５  パワースイッチ
３９  スイッチ
【図１】
2006315366.tif 000003
【図２】
2006315366.tif 000004
【図３】
2006315366.tif 000005
【図４】
2006315366.tif 000006